(57)【要約】【課題】発光素子がレセプタクルで受光素子に近接することにより発生する近端反射光の影響を除去できるようにすると共に、Ｓ／Ｎの良い受信信号を再生できるようにする。【解決手段】光ファイバ４に結合するレセプタクル１と、このレセプタクル１に発光面を対峙させて相手側へ信号光を発光する発光素子２と、送信信号Ｓａを入力し、この送信信号Ｓａに基づいて発光素子２を駆動処理する送信駆動回路２０と、レセプタクル１に受光面を対峙させて相手側からの信号光を受光する受光素子３と、この受光素子３により受光された信号光を受信処理する受信回路３０と、この受信回路３０によって受信処理される受信信号から、送信駆動回路２０に入力される送信信号Ｓａに基づく信号光成分を差し引く演算をする演算回路４０とを備えるものである。【選択図】        図１
2004343209.tif 000002
【特許請求の範囲】
【請求項１】
光ファイバに結合して信号光を送受信する装置であって、
前記光ファイバに結合する結合器と、
前記結合器に発光面を対峙させて相手側へ前記信号光を発光する発光素子と、
送信信号を入力し、該送信信号に基づいて前記発光素子を駆動処理する送信駆動回路と、
前記結合器に受光面を対峙させて相手側からの信号光を受光する受光素子と、
前記受光素子により受光された信号光を受信処理する受信回路と、
前記受信回路によって受信処理される受信信号と前記送信駆動回路に入力される送信信号とを演算する演算回路とを備えることを特徴とする光送受信装置。
【請求項２】
前記送信駆動回路に入力される送信信号を分岐して該送信信号の利得を調整するゲイン調整部と、
前記ゲイン調整部によって利得調整された送信信号の時間差を調整する時間差調整部と、
前記時間差調整部により時間差調整された送信信号と前記受信回路によって受信処理される受信信号とを演算する演算装置とを備えることを特徴とする請求項１に記載の光送受信装置。
【請求項３】
前記演算回路は、
前記受信回路によって受信処理される受信信号から前記送信信号によって発生される信号光成分を差し引く演算を実行することを特徴とする請求項１に記載の光送受信装置。
【請求項４】
前記結合器には１本の光ファイバが接続され、
前記信号光を同時に双方向に送受可能な一芯全二重光送受信を実行することを特徴とする請求項１に記載の光送受信装置。
【請求項５】
前記相手側へ送信する前記信号光の波長と、相手側からの信号光の波長とが異なる波長多重光送受信を実行することを特徴とする請求項１に記載の光送受信装置。
【請求項６】
光ファイバに結合して信号光を送受信する装置であって、
前記光ファイバに結合する結合器と、
前記結合器に発光面を対峙させて相手側へ前記信号光を発光する発光素子と、
送信信号を入力し、該送信信号に基づいて前記発光素子を駆動処理する送信駆動回路と、
前記結合器に受光面を対峙させて相手側からの信号光を受光する第１の受光素子と、
前記第１の受光素子により受光された信号光を受信処理する第１の受信回路と、
前記発光素子からの光の一部を検出する第２の受光素子と、
前記第２の受光素子によって検出された送信号光成分を受信処理する第２の受信回路と、
前記第１の受信回路によって受信処理された受信信号と前記第２の受信回路によって受信処理された第２の受光素子に基づく検出信号とを演算する演算回路とを備えることを特徴とする光送受信装置。
【請求項７】
前記第２の受光素子からの検出信号の利得を調整するゲイン調整部と、
前記ゲイン調整部によって利得調整された検出信号の時間差を調整する時間差調整部と、
前記時間差調整部により時間差調整された検出信号と前記第１の受信回路によって受信処理される受信信号とを演算する演算装置とを有することを特徴とする請求項６に記載の光送受信装置。
【請求項８】
前記演算回路は、
前記第１の受信回路によって受信処理される受信信号から前記第２の受信回路によって受信処理された送信号光成分を差し引く演算を実行することを特徴とする請求項６に記載の光送受信装置。
【請求項９】
前記結合器には１本の光ファイバが接続され、
前記信号光を同時に双方向に送受可能な一芯全二重光送受信を実行することを特徴とする請求項６に記載の光送受信装置。
【請求項１０】
前記相手側へ送信する前記信号光の波長と、相手側からの信号光の波長とが異なる波長多重光送受信を実行することを特徴とする請求項６に記載の光送受信装置。
【請求項１１】
光ファイバに結合して信号光を送受信する方法であって、
送信信号に基づく前記信号光を発光して相手側へ送信すると共に、相手側からの信号光を受光して受信し、
受信された前記信号光から前記送信信号によって発生される信号光成分を差し引く演算を同時に実行することを特徴とする光送受信方法。
【発明の詳細な説明】
【０００１】
【発明の属する技術分野】
本発明は、１本の光ファイバを使用して信号光を同時に双方向に送受可能な一芯全二重光送受信を実行する通信システムに適用して好適な光送受信装置及び光送受信方法に関するものである。
【０００２】
詳しくは、光ファイバに結合して信号光を送受信する場合に、受信処理される相手側からの信号光に基づく受信信号と相手側へ送信するための送信信号とを演算する演算回路を備えて、発光素子が結合器で受光素子に近接することにより発生する近端反射光の影響を除去できるようにすると共に、Ｓ／Ｎの良い受信信号を再生できるようにしたものである。
【０００３】
【従来の技術】
近年、光通信技術の発達に伴い、光通信システムは幹線系からアクセス系や、ホームネットワーク系等へと社会の隅々にまで普及し浸透され始めてきている。このシステムの発達が著しいのは、光ファイバ内を伝搬する信号光の高速性、長距離性、相互干渉が無い等の特徴が大きいためである。更に、光通信システムをより使用し易く、また、当該システムの利便性を向上させるためには、今後、光ファイバ一芯での全二重双方向通信システムを利用可能となされることが必要となる。
【０００４】
この全二重双方向通信システムとは、１本の光ファイバで同時に双方向の光通信を行うものをいう。このシステムには例えば、波長多重（Ｗａｖｅ  Ｄｉｖｉｓｉｏｎ  Ｍｕｌｔｉｐｌｅｘ；以下ＷＤＭという）方式が採用され、端末装置から基地局への上り信号には、１．３μｍの波長が使用され、基地局から端末装置への下り信号には、１．５５μｍの波長が使用される。
【０００５】
この方式の通信システムにおいては、一般的に波長フィルタで送受光の分離が行われる。この方式の通信システムを適用したアクセス網によれば、光ファイバの本数毎に、キャリアに対して使用料が発生するため、通信料金を安くできるメリットがある。また、光ファイバーコストの低減と敷設の際の引き回し易さからホームネットワークの領域でも、全二重双方向通信システムを使用され始めている。又ホームネットワークの世界でも、ファイバコストの低減と敷設の際の引き回しのよさから、同一波長で全二重双方向通信を一芯のファイバでおこなうことも試みられている。
【０００６】
この種の光通信システムに欠かせないものが、端末装置に組み入れられる光送受信装置である。図８は従来例に係る光ファイバ一芯対応型の光送受信装置１０の構成例を示すブロック図である。
【０００７】
図８に示す光送受信装置１０はレセプタクル１、発光素子２、受光素子３、送信駆動回路２０及び受信回路３０を有している。この光送受信装置１０において、「０，１」の送信信号Ｓａは送信駆動回路２０に入力される。発光素子２が送信信号Ｓａを信号光に変換する。光送受信装置１０には光ファイバ４を嵌合し固定するレセプタクル１が備えられ、これを通して、信号光は光ファイバ４内を伝搬して相手側の端末装置へ到達する。
【０００８】
一方、光ファイバ内を伝搬してきた相手側からの信号光は、レセプタクル１をとおり、受光素子３に導かれる。受光素子３は信号光を光電変換して受信信号Ｓｉｎを出力する。この受信信号Ｓｉｎは受信回路３０によって「０，１」の２値の信号Ｓｒに変換され、後段の処理回路へ出力される。
【０００９】
図９は送信駆動回路２０等の構成例を示すブロック図である。図９に示す送信駆動回路２０は、信号処理回路２１、アンプ２２、ＤＣバイアス回路２３、結合容量Ｃ、発光素子駆動用のトランジスタＱ及び、バイアス抵抗Ｒを有している。ＤＣバイアス回路２３には可変抵抗器２４が接続される。
【００１０】
この送信駆動回路２０は、発光素子２の直流バイアス点を決めるＤＣバイアス回路２３が外部から可変可能なように構成されている。トランジスタＱは、可変抵抗器２４によって外部設定される抵抗値に従って、発光素子２にバイアス電流を流すようになされる。送信信号Ｓａは、信号処理回路２１で振幅レベルなどの処理をされた後にコンデンサＣにより発光素子２に対してＡＣカップルされ、バイアス電流に重畳されて光変調電流となる。
【００１１】
この光変調電流が発光素子２を駆動し、送信信号Ｓａに基づいたオンオフの信号光が生じる。送受信装置１０によっては送信光が一定の発光量で発光するよう制御を行うために、発光素子２の近傍にモニタ用の受光素子８を配置して発光パワーを検出し、アンプ２２を通して、ＤＣバイアス回路２３に帰還（フィードバック）し、発光量が多いときは、ＤＣバイアス回路２３を通してＤＣバイアスを下げる。このような発光光量を一定値に保つように制御をする構成の光送受信装置もある。この光出力の制御回路をＡＰＣ（Ａｕｔｏｍａｔｉｃ  Ｐｏｗｅｒ  Ｃｏｎｔｒｏｌ）という。このＡＰＣ用の受光素子８は、図８に示した発光素子２のパッケージの中に組み込まれて使用される場合が多い。
【００１２】
図１０は受信回路３０等の構成例を示すブロック図である。図１０に示す受信回路３０は、プリアンプ部３１及び波形整形２値化回路３２を有している。上述のレセプタクル１から受光素子３に入射した、相手側からの信号光は、受光素子３によって光電変換され、受信信号Ｓｉｎを成す光電流となって、プリアンプ部３１に入力される。プリアンプ部３１はＴＩＡ（Ｔｅｒｍｉｎａｌ  Ｉｎｔｅｒｆａｃｅ  Ａｄａｐｔｅｒ）やＩ−Ｖ（電流−電圧）アンプ等と呼ばれる場合もある。
【００１３】
プリアンプ部３１により増幅された受信信号は、波形整形２値化回路（以下２Ｒ回路ともいう）３２に入力される。ここで２Ｒとは、波形整形を示す「Ｒｅｓｈａｐｉｎｇ」と、２値化を示す「Ｒｅｇｅｎｅｒａｔｉｏｎ」のＲを重ねて略した名称であって、波形整形機能と２値化機能とを複合した機能をいう。２Ｒ回路３２は、リミットアンプから構成される。受信信号Ｓｉｎは、波形整形及び２値化された後に、「０，１」の信号Ｓｒとなって、後段の処理回路へ出力される。
【００１４】
このような光ファイバ一芯全二重双方向通信システムにおいては、発光素子２からの信号光が漏れ、迷光となって、受光素子３に不本意に入射してしまい、受信時の本来の信号光に基づく受信信号のＳ／Ｎを悪くするおそれがある。この種の光送受信装置では、近端反射光をいかに抑制するか、ということが最も重要である。
【００１５】
この近端反射光を抑制するという点で、特に設計上避け難いのは、送信光が光ファイバ端でフレネル反射して、端末側に戻ってくる信号成分である。この信号成分は、光ファイバ中を伝搬してくる受信光と同様に、光ファイバ４から反射されるため、受信光と分離することが難しい。このような近端反射光の影響を除去するために、従来から色々な方法が用いられている。
【００１６】
例えば、特許文献１には「光ファイバケーブル及びその端面加工方法」が開示されている。この光ファイバケーブルの端面加工方法によれば、同一波長の信号光を伝搬する場合を前提にして、光ファイバの端面形状を球状に加工して、反射光が散乱するようになされる。
【００１７】
また、特許文献２には「光送受信モジュール及びそれを用いた光送受信システム」が開示されている。この光送受信システムによれば、レセプタクル等の光学系に仕切り板を設け、発光素子からの信号光が漏れ、迷光となって、受光素子に不本意に入射する事態を無くすようにしている。更に特許文献３には「光送受信モジュール」が開示されている。この光送受信システムによれば、送信光と受信光とをフーコプリズムで分割し、特許文献２と同様にして、発光素子から受光素子に不本意に入射する信号光成分を無くすようにしている。
【００１８】
特許文献４には「光送受信装置及び光送受信方法」が開示されている。この光送受信装置によれば、光学素子の波面を分割し、送信光に対して受信光を斜め方法乃至横方向から入射し、近端反射光が受光素子に届かないようにしている。更にまた、特許文献５には、「双方向光通信装置の組み立て方法及び双方向光通信装置」が開示されている。この双方向光通信装置によれば、組み立て時の手順を工夫している。
【００１９】
また、特許文献６には、発光素子から直接迷光を除去する方法が開示されている。この迷光除去方法によれば、モニタ用の受光素子が設けられ、送信光をモニタし、このモニタ出力に基づいて直接光のみを考慮して迷光を除去するようになされる。
【００２０】
【特許文献１】
特開２００２−３１７２７号公報
【特許文献２】
特開２００１−１１６９６１号公報
【特許文献３】
特開２００１−１４７３４９号公報
【特許文献４】
特開平１１−３５２３６４号公報
【特許文献５】
特開２００１−３２４６５４号公報
【特許文献６】
特開平９−１８１６７５号公報
【００２１】
【発明が解決しようとする課題】
ところで、従来例に係る光送受信装置によれば、次のような問題がある。
【００２２】
▲１▼  図８に示した光送受信装置１０で近端反射光が介在すると、相手側から送られてきた、本来の受信信号Ｓｉｎに対してノイズとなって、通信品質が劣化するおそれがある。因みに、近端反射光が介在すると、受信信号Ｓｉｎは図１０Ｂに示すアイパターンのようにジッターの多い信号となってしまう。
【００２３】
▲２▼  更に、図１０Ａに示した２Ｒ回路３２で近端反射光の影響を含んだ受信信号をそのまま２値化されてしまうと、受信信号Ｓｉｎが入力されていないのに、送信信号光の近端反射光により、当該端末装置に受信信号Ｓｉｎが入力されていると誤判別されるという不具合を生じる。
【００２４】
▲３▼  特許文献１乃至５によれば、特殊な光ファイバが必要で汎用性が乏しく、光学系に余分な部品が必要でコストが上昇したり、光送受信装置の小型化が困難であったり、近端反射光の影響の除去効果が不十分なものとなっている。
【００２５】
▲４▼  また、特許文献６によれば、受光素子３を２分割して引き算を行われるため、受信回路から出力される本来の受信信号成分が低くなってしまうという欠点がある。
【００２６】
▲５▼  更に、特許文献６では、モニタ用の受光素子を使用しているが、直接光のみを考慮しているために、近端反射光が存在した場合には、受信光と同じ受光素子３に落ち、モニタからの直接光と近端反射光の時間差を補償する手立てが無く、高速動作時に問題が生じる。
【００２７】
▲６▼  波長多重（ＷＤＭ）方式の通信システムにおいては、一般的に波長フィルタを用いて送受信号光を分離されるが、この光学部品を必要とするために、光送受信装置のコスト高につながってしまう。
【００２８】
そこで、この発明はこのような従来の課題を解決したものであって、発光素子が結合器で受光素子に近接することにより発生する近端反射光の影響を除去できるようにすると共に、Ｓ／Ｎの良い受信信号を再生できるようにした光送受信装置及び光送受信方法を提供することを目的とする。
【００２９】
【課題を解決するための手段】
上述した課題は、光ファイバに結合して信号光を送受信する装置であって、光ファイバに結合する結合器と、この結合器に発光面を対峙させて相手側へ信号光を発光する発光素子と、送信信号を入力し、該送信信号に基づいて発光素子を駆動処理する送信駆動回路と、結合器に受光面を対峙させて相手側からの信号光を受光する受光素子と、この受光素子により受光された信号光を受信処理する受信回路と、この受信回路によって受信処理される受信信号と送信駆動回路に入力される送信信号とを演算する演算回路とを備えることを特徴とする第１の光送受信装置によって解決される。
【００３０】
本発明に係る第１の光送受信装置によれば、光ファイバに結合して信号光を送受信する場合に、発光素子の発光面や、受光素子の受光面を対峙した結合器には光ファイバが結合される。送信駆動回路には送信信号が入力され、この送信信号に基づいて発光素子を駆動処理するようになされる。発光素子では結合器及び光ファイバを通じて相手側へ信号光を発光するようになる。
【００３１】
また、相手側からの信号光が光ファイバ及び結合器を通じて受光素子により受光される。受信回路では、この受光素子により受光された信号光が受信処理される。このとき、演算回路では、この受信回路によって受信処理される受信信号と送信駆動回路に入力される送信信号とが演算される。
【００３２】
例えば、演算回路では受信回路によって受信処理される受信信号から送信駆動回路に入力される送信信号によって発生される信号光成分を差し引く演算が実行される。従って、発光素子が結合器で受光素子に近接することにより発生する近端反射光の影響を除去することができる。
【００３３】
これにより、近端反射光を抑制することができ、Ｓ／Ｎの良い再生信号を得ることができる。しかも、このＳ／Ｎが良くなることにより、伝送距離を従来方式より伸ばすことができる。また、ＳＤシグナルの近端反射光での誤動作を防ぐことができる。
【００３４】
本発明に係る第２の光送受信装置は、光ファイバに結合して信号光を送受信する装置であって、光ファイバに結合する結合器と、この結合器に発光面を対峙させて相手側へ信号光を発光する発光素子と、送信信号を入力し、該送信信号に基づいて発光素子を駆動処理する送信駆動回路と、結合器に受光面を対峙させて相手側からの信号光を受光する第１の受光素子と、この第１の受光素子により受光された信号光を受信処理する第１の受信回路と、発光素子からの光の一部を検出する第２の受光素子と、この第２の受光素子によって検出された送信号光成分を受信処理する第２の受信回路と、第１の受信回路によって受信処理された受信信号と第２の受信回路によって受信処理された第２の受光素子に基づく検出信号とを演算する演算回路とを備えることを特徴とするものである。
【００３５】
本発明に係る第２の光送受信装置によれば、光ファイバに結合して信号光を送受信する場合に、結合器には光ファイバが結合される。送信駆動回路には送信信号が入力され、この送信信号に基づいて発光素子を駆動処理するようになされる。発光素子は、例えば、ビームスプリッタ等の光学素子と通して、結合器及び光ファイバを通じ相手側へ信号光を発光するようになる。このとき、第２の受光素子によって、発光素子からの光の一部が検出される。この第２の受光素子によって検出された送信号光成分は第２の受信回路によって受信処理される。
【００３６】
また、相手側からの信号光が光ファイバ、結合器及び光学素子を通じて第１の受光素子により受光される。第１の受信回路では、第１の受光素子により受光された信号光が受信処理される。このとき、演算回路では、第１の受信回路によって受信処理される受信信号と第２の受信回路によって受信処理された第２の受光素子に基づく検出信号とが演算される。例えば、演算回路では、第１の受信回路によって受信処理される受信信号から第２の受信回路によって受信処理される送信号光成分を差し引く演算が実行される。
【００３７】
従って、発光素子が結合器周辺で、例えば、光学素子を通じて受光素子に近接することにより発生する近端反射光の影響を除去することができる。これにより、近端反射光を抑制することができ、Ｓ／Ｎの良い再生信号を得ることができる。しかも、このＳ／Ｎが良くなることにより、伝送距離を従来方式より伸ばすことができる。また、ＳＤシグナルの近端反射光での誤動作を防ぐことができる。
【００３８】
【発明の実施の形態】
続いて、この発明に係る光送受信装置及び光送受信方法の一実施の形態について、図面を参照しながら説明をする。
【００３９】
（１）第１の実施形態
図１は本発明に係る第１の実施形態としての光送受信装置１００の構成例を示すブロック図である。
この実施形態では、光ファイバに結合して信号光を送受信する場合に、受信処理される相手側からの信号光に基づく受信信号と送信駆動処理される送信信号とを演算する演算回路を備え、この受信回路によって受信処理される受信信号から送信駆動回路に入力される送信信号によって発生される信号光成分を差し引く演算を実行して、発光素子が結合器で受光素子に近接することにより発生する近端反射光の影響を除去できるようにすると共に、Ｓ／Ｎの良い受信信号を再生できるようにしたものである。
【００４０】
図１に示す第１の光送受信装置１００は、光ファイバ４に結合して信号光を送受信する装置である。この光送受信装置１００は１本の光ファイバ４を使用して信号光を同時に双方向に送受可能な一芯全二重光送受信を実行する通信システムに適用して好適である。図１において、光送受信装置１００は結合器の一例となるレセプタクル１を有しており、このレセプタクル１に１本の光ファイバ４を接続して使用される。レセプタクル１は環状部材から構成され、図示しないが、例えば、筐体に開口された開口部に嵌合されて取り付けられる。
【００４１】
この筐体内には発光素子２、受光素子３、送信駆動回路２０、受信回路３０及び演算回路４０が備えられる。このレセプタクル１に近接して、発光面を対峙させた状態で発光素子２が設けられ、相手側へ送信するための信号光を発光するようになされる。発光素子２にはＬＥＤや半導体レーザダイオード等、例えば、赤外レーザダイオード、ＶＣＳＥＬ（面発光レーザダイオード）などが使用される。
【００４２】
また、レセプタクル１に近端して、受光面を対峙させた状態で受光素子３が設けられ、相手側から送られてきた信号光を受光するようになされる。受光素子３は受信光を光電変換して受信信号Ｓｉｎとなる光電流を出力する。受光素子３にはフォトディテクタ（光電変換素子）が使用される。なお、発光素子２、受光素子３、送信駆動回路２０、受信回路３０及び演算回路４０はプリント配線基板等に実装するようになされる。
【００４３】
図２は光送受信装置１００の内部構成例、図３はその近端光除去装置４００の内部構成例を各々示す回路図である。図２において、光送受信装置１００は入力端子５及び出力端子６を有している。入力端子５には送信駆動回路２０が接続され、相手側へ送信するための送信信号Ｓａが供給される。送信信号Ｓａは「０，１」の２値の信号である。送信駆動回路２０では送信信号Ｓａを入力し、この送信信号Ｓａに基づいて発光素子２を駆動処理するようになされる。
【００４４】
送信駆動回路２０は例えば、信号処理回路２１、アンプ２２、ＤＣバイアス回路２３、結合容量Ｃ、発光素子駆動用のトランジスタＱ及びバイアス抵抗Ｒを有している。この例で入力端子５に供給される送信信号Ｓａは、信号処理回路２１で振幅レベル制限等の信号処理がなされる。この信号処理回路２１には結合容量Ｃを介して発光素子２が接続され、信号処理後の送信信号Ｓｏｕｔに基づいて発光し、相手側へ信号光を送信するようになされる。
【００４５】
この例では、アンプ２２、ＤＣバイアス回路２３、トランジスタＱ及びバイアス抵抗Ｒによって自動パワー制御（Ａｕｔｏｍａｔｉｃ  Ｐｏｗｅｒ  Ｃｏｎｔｒｏｌ；ＡＰＣ）回路が構成される。つまり、発光素子２の他にモニタ用の受光素子８が設けられ、発光素子２によって発光される信号光の一部を受光してモニタ信号Ｓｍを検出するようになされる。受光素子８にはアンプ２２が接続され、モニタ信号Ｓｍを増幅するようになされる。
【００４６】
また、上述の結合容量Ｃと発光素子２とを接続する点には、バイポーラトランジスタＱのコレクタが接続される。このトランジスタＱのベースにはＤＣバイアス回路２３が接続され、そのエミッタにはバイアス抵抗Ｒが接続される。アンプ出力Ｓｍ’はＤＣバイアス回路２３へ入力される。ＤＣバイアス回路２３には可変抵抗器２４が接続され、発光素子２に印加するＤＣバイアス電圧を外部から調整可能になされている（ゲイン調整機構）。
【００４７】
ＤＣバイアス回路２３では可変抵抗器２４により設定された目標電圧値を維持するように、受光素子８及び、アンプ出力Ｓｍ’に基づいてトランジスタＱのベース電圧Ｖｂを自動調整するようなフィードバック制御を実行する。例えば、トランジスタＱは、可変抵抗器２４によって外部設定される抵抗値に従って、発光素子２にバイアス電流を流すようになされる。送信信号Ｓａは、信号処理回路２１で振幅レベルなどの処理をされた後にコンデンサＣにより発光素子２に対してＡＣカップルされ、バイアス電流に重畳されて光変調電流となる。
【００４８】
この光変調電流が発光素子２を駆動し、送信信号Ｓａに基づいたオンオフの信号光が生じる。上述の受光素子８は発光パワーを検出し、アンプ２２を通して、ＤＣバイアス回路２３に帰還（フィードバック）し、発光量が多いときは、ＤＣバイアス回路２３を通してＤＣバイアスを下げ、発光光量を一定値に保つようになされる。一定の発光量の信号光を送信するためである（ＡＰＣ機能）。
【００４９】
また、図１に示した受光素子３には図２に示す受信回路３０が接続され、この受光素子３により受光された信号光を受信処理するようになされる。受信回路３０は例えば、プリアンプ部３１及び、波形整形２値化（２Ｒ）回路３２を有している。受光素子３によって受光された信号光は光電変換された後に、プリアンプ部３１に入力される。プリアンプ部３１では、相手側から受信した受信信号Ｓｉｎが増幅される。
【００５０】
これまでの構成は、従来例と同様であるが、本発明では送信信号Ｓａを分岐して受信信号Ｓｃと演算を行う近端光除去装置４００が加わっている点が異なっている。図２に示したプリアンプ部３１及び入力端子５には近端光除去装置４００が接続され、受信回路３０によって受信処理される受信信号と送信駆動回路２０に入力される送信信号Ｓａとを演算するようになされる。
【００５１】
この近端光除去装置４００は例えば、図３に示すように、ゲイン調整部４１、時間差調整部４２及び演算装置４３を有している。演算装置４３は演算回路の一例を構成するものである。上述の入力端子５にはゲイン調整部４１が接続され、送信駆動回路２０に入力される送信信号Ｓａを分岐してその送信信号Ｓａの利得（レベル）を適切な電圧レベルに調整するようになされる。ゲイン調整部４１はアンプ４１１及び可変帰還抵抗４１２を有しており、可変帰還抵抗４１２によって、送信信号Ｓａのレベルを適切な電圧レベルにフィードバック制御するようになされる。
【００５２】
ゲイン調整部４１には時間差調整部（遅延回路）４２が接続され、利得調整後の送信信号Ｓａの時間差を調整して時間差調整出力信号（送信号光成分）Ｓｂを出力するようになされる。これは、近端反射光による受信信号中に含まれる送信信号成分と入信号処理回路２１へ入力される送信信号Ｓａとの時間差をなくすためである。時間差調整部４２は、当該光送受信装置１００の設計時点で、送信駆動回路２０からの送信信号Ｓａと近端反射光からの受光信号との時間差を測ることで、予め設定するようになされる。
【００５３】
因みに、光送受信装置１００の発光素子２と受光素子３との間の離隔距離を約３ｃｍ程度と見積もり、その発光素子２から出射した信号光が光ファイバ４の端部で反射して受光素子３に至るまでの電気回路における遅れは、相手側から受光した信号光を増幅した受信信号Ｓｃとでほぼ同等とみなされる。この両信号の時間差は０．１［ｎｓ］になり一般には無視できる。しかし、ギガビットイーサネット（Ｒ）のように信号周期が０．８［ｎｓ］程度の高速伝送ではこの時間差が無視できなくなる。０．１［ｎｓ］の時間差の処理は、配線長に直すと２ｃｍ程度になり、回路内の配線長を長くすることで対処できる。
【００５４】
このように設計した時間差調整部４２には演算装置４３が接続され、時間差調整後の送信信号Ｓａと受信回路３０によって受信処理される受信信号とを演算するようになされる。演算装置４３はオペアンプ４３１及び帰還抵抗４３２から構成される。例えば、演算装置４３では、受信回路３０によって受信処理される受信信号Ｓｃから、送信信号Ｓａによって発生される信号光成分を差し引いて差信号を演算するようになされる。この演算を実行することにより、一芯全二重通信を実行する際に発生する近端反射光の影響を軽減できるようになる。
【００５５】
なお、演算装置４３の演算機能をどのように構成するかは、相手側から信号光を受光したときに、ゲイン調整部４１を通じて時間差調整回路４２から出力される時間差調整信号Ｓｂと、プリアンプ部３１から出力される受信信号（＝アンプ出力信号）Ｓｃとが高いレベルになるか、あるいは、低いレベルになるかによって決めれば良い。例えば、相手側から信号光を受光したときに、時間差調整信号Ｓｂ及び、受信信号Ｓｃが共に高いか、あるいは、低く、両信号Ｓｂ及びＳｃが同相の場合は、引き算回路により構成し、片方が高く、片方が低く、両信号Ｓｂ及びＳｃが逆相の場合には、足し算回路により構成するとよい。どちらにするかは、光送受信装置１００の信号処理方法が決まったときに選択すればよい。
【００５６】
この演算装置４３には図２に示す波形整形２値化回路（以下２Ｒ回路ともいう）３２が接続され、近端光除去後の受信信号Ｓｄを波形整形し、この波形整形後の受信信号を２値化するようになされる。波形整形２値化回路３２は例えば、波形整形（Ｒｅｓｈａｐｉｎｇ）回路及び２値化符号（Ｒｅｇｅｎｅｒａｔｉｏｎ）回路から構成される。２値化符号回路はリミットアンプから構成される。２値符号化後の受信信号は、「０，１」の信号Ｓｒとなり、波形整形２値化回路３２から後段の処理回路へ出力される。
【００５７】
続いて、光送受信装置１００の動作例について説明をする。図４Ａ〜Ｅは光送受信装置１００の送受信時の動作例を示すタイムチャートである。図４Ａ〜Ｅにおいて、横軸は時間ｔである。
【００５８】
この例では、相手側から信号光を受光したときに、時間差調整出力信号Ｓｂ及び、アンプ出力信号Ｓｃが共に高く両信号Ｓｂ及びＳｃが同相の場合なので、演算装置４３は引き算機能により構成される。もちろん、発光素子２の発光面や、受光素子３の受光面を対峙したレセプタクル１には光ファイバ４が結合される。
【００５９】
これを動作条件にして、図２に示した送信駆動回路２０の信号処理回路２１には、図４Ａに示すような送信信号Ｓａが入力され、この送信信号Ｓａに基づいて発光素子２を駆動処理するようになされる。発光素子２ではレセプタクル１及び光ファイバ４を通じて相手側へ信号光を発光するようになる。このとき、図４Ａに示す送信信号Ｓａは、送信駆動回路２０の他に、近端光除去装置４００に供給される。図１に示した発光素子２から発光される信号光の発光レベルは、送信信号Ｓａとほぼ同じ変化を示すようになる。
【００６０】
また、光ファイバ４を伝搬してきた相手側からの信号光がレセプタクル１を通じて受光素子３により受光される。このとき、自機の発光素子２からの近端反射光が受光素子３により光電変換される。受信回路３０では、この受光素子３により受光された信号光及び、近端反射光が受信処理される。このとき、受光素子３により受光された信号光及び近端反射光は光電変換された後に受信信号Ｓｉｎとなる。受信信号Ｓｉｎはプリアンプ部３１に入力され増幅される。このプリアンプ部３１によって増幅された受信信号は、図４Ｃに示すようなプリアンプ出力信号Ｓｃであり、このプリアンプ出力信号（＝受信信号）Ｓｃはプリアンプ部３１から演算装置４３へ出力される。
【００６１】
一方、近端光除去装置４００では、この受信回路３０によって受信処理される受信信号Ｓｃと送信駆動回路２０に入力される送信信号Ｓａとが演算される。例えば、ゲイン調整部４１では、送信駆動回路２０に入力される送信信号Ｓａを分岐してその送信信号Ｓａの利得を適切な電圧レベルに調整するようになされる。レベル調整後の電圧はゲイン調整部４１から時間差調整部４２へ出力される。時間差調整部４２では利得調整後の送信信号Ｓａの時間差を調整し、図４Ｂに示すような時間差調整出力信号Ｓｂを演算装置４３に出力するようになされる。
【００６２】
演算装置４３では、時間差調整部４２から入力した時間差調整出力信号Ｓｂと、プリアンプ部３１から入力したプリアンプ出力信号Ｓｃとの差を演算し、図４Ｄに示すような近端光除去出力信号Ｓｄを出力するようになされる。図４Ｄに示す近端光除去出力信号Ｓｄは、近端反射光が著しく抑えられた信号となっている。これにより、受信回路３０によって受信処理される受信信号Ｓｃから送信駆動回路２０に入力される送信信号Ｓａによって発生される信号光成分を差し引く演算をすることができる。この近端光除去出力信号Ｓｄは近端光除去装置４００から波形整形２値化回路３２へ出力される。
【００６３】
波形整形２値化回路３２では、近端光除去後の近端光除去出力信号（＝受信信号）Ｓｄを波形整形し、この波形整形後の受信信号を２値化するようになされる。この２値符号化後の受信信号は、「０，１」の信号Ｓｒとなり、波形整形２値化回路３２から後段の処理回路へ出力される。なお、図４Ｅに示す受光信号Ｓｉｎの波形例によれば、図１０Ｂに示した従来例に係る受信信号Ｓｉｎ’に比べてアイパターンもジッターの少ない受信信号Ｓｉｎになっている。
【００６４】
このように、本発明に係る第１の実施形態としての光送受信装置１００によれば、光ファイバ４に結合して信号光を送受信する場合に、相手側からの信号光に基づく受信信号Ｓｉｎと送信駆動処理される送信信号Ｓａとを演算する近端光除去装置４００を備え、この近端光除去装置４００内の演算装置４３は、時間差調整部４２から入力した時間差調整出力信号Ｓｂと、プリアンプ部３１から入力したプリアンプ出力信号Ｓｃとの差を演算し、図４Ｄに示すような近端光除去出力信号Ｓｄを出力するようになされる。
【００６５】
従って、受信回路３０によって受信処理される受信信号Ｓｃから送信駆動回路２０に入力される送信信号Ｓａによって発生される信号光成分を差し引くことができるので、発光素子２がレセプタクル１で受光素子３に近接することにより発生する近端反射光の影響を除去することができる。
【００６６】
これにより、図４Ｅに示した受信信号Ｓｉｎのアイパターンもジッターの少ないものに改善され、近端反射光を抑制することができ、Ｓ／Ｎの良い再生信号を得ることができる。しかも、このＳ／Ｎが良くなることにより、伝送距離を従来方式より伸ばすことができる。また、ＳＤ（Ｓｉｇｎａｌ  Ｄｅｔｅｃｔ）信号の近端反射光での誤動作を防ぐことができる。このような効果を得るために、従来方式においては、発光素子２及び受光素子３間の構造を工夫して行われていた。本発明方式では、このような余分な部材などを設ける必要がなく、電気的に処理することが可能になった。
【００６７】
また、本発明に係る光送受信装置１００によれば、受信回路３０を構成する半導体集積回路内に、近端光除去装置４００を構成する半導体集積回路を組み込むことが可能であり、ＩＣのコストアップにはほとんど問題とならない。また、工場出荷時に、各光送受信装置１００毎に一つ一つゲイン調整等をすることができるので、従来方式のように構造上での工夫に比べて、組み立て時のバラツキまでも抑制できるようになる。更に、発光素子２のパワー調整などと同時に、ゲイン調整を行えるため、調整工数の増加を抑えることができる。このように、本発明の回路構成を導入することにより、安価に、かつ、確実に近端反射光の影響を抑制できて、高性能な一芯全二重の光送受信装置１００を提供できるようになる。
【００６８】
なお、近端光除去装置４００へ入力する送信信号Ｓａについては、入力端子５から供給する場合について説明したが、これに限られることはなく、送信駆動回路２０の中のいずれかの場所から近端光除去装置４００へ出力するように構成しても同様の効果が得られることは言うまでもない。
【００６９】
図５Ａ及びＢは、本発明を波長多重の通信に応用した光送受信装置１０１の構成例を示す図である。図５Ａに示す光送受信装置１０１は、光ファイバ４に結合して信号光を送受信する装置である。第１の光送受信装置１００と同様にして、光送受信装置１０１は、１本の光ファイバ４を使用して信号光を同時に双方向に送受可能な一芯全二重光送受信を実行する通信システムに適用して好適である。第１の実施形態で説明した演算回路４０は、一芯全二重通信時に、特に良く効果が発揮されるが、送信波長と受信波長の異なる波長多重（ＷＤＭ）の場合にも適用できる。
【００７０】
この通信システムで例えば、相手側へ送信する信号光の波長λ１と、相手側からの信号光の波長λ２とが異なる波長多重光送受信を実行するものである。アクセス網では、一芯で全二重通信を実現する場合に、基地局への上り信号にλ１＝１．３μｍの波長を使用し、基地局から端末装置への下り信号には、λ２＝１．５５μｍの波長を使用するようになされる。
【００７１】
図５Ａにおいて、光送受信装置１０１もレセプタクル１を有しており、このレセプタクル１に１本の光ファイバ４が接続される。この筐体内には第１の実施形態と同様にして発光素子２、受光素子３、送信駆動回路２０、受信回路３０及び演算回路４０が備えられるが、第１の実施形態と異なるのは光送受信装置１０１において、光学素子の一例となるビームスプリッタ９が備えられる点である。ビームスプリッタ９は図５Ａに示すレセプタクル１に対峙する位置に配置される。
【００７２】
図５Ｂに示すビームスプリッタ９は波長分離特性を有している色分離ミラーである。このビームスプリッタ９によれば、送信光である波長１．３μｍの光と、受信光である１．５５μｍの光とを分離し、かつ、近端からの１．３μｍの光を遮断するように機能される。もちろん、光学素子にはビームスプリッタ９に限られることはなく、ハーフミラーを使用してもよい。色分離ミラーは、高精度な波長分離特性を確保できるが高価である。
【００７３】
このビームスプリッタ９に発光面を対峙させた状態で、発光素子２が配置され、相手側へ信号光を発光するようになされる。また、ビームスプリッタ９の発光素子と発光面で形成される光軸に対して幾何学角度９０°を成す位置には、受光面を対峙させた状態で受光素子３が配置され、相手側からの信号光を受光するようになされる。このように構成された波長多重用の光送受信機においても図２で示した近端反射光の除去の回路を適用でき、受信光のＳ／Ｎを稼ぐことができる。
【００７４】
（２）第２の実施形態
図６は、本発明に係る第２の実施形態としての光送受信装置２００の構成例を示す図である。
この実施形態で送信信号Ｓａは、「０，１」の信号であるが、発光波形は、送信駆動回路２０の周波数特性の影響を受けて、波形が変化することがある。このような場合に、近端反射光を除去するためには、実際の発光波形に、より近い形のものを近端光除去装置４００に送り込むことが好ましい。より一層、近端反射光による影響を取り除くことが可能になる。
【００７５】
そのために、この実施形態では、ＡＰＣ回路のアンプ出力Ｓｍ’を分岐して、近端光除去装置４００に出力するように回路を構成している。なお、第１の実施形態と同じ名称及び同じ符号のものは同じ機能を有し、また、その使用材料についても同じものが使用されるためその説明を省略する。
【００７６】
図６は光送受信装置２００の内部構成例を示す回路図である。図６において、光送受信装置２００も入力端子５及び出力端子６を有している。入力端子５には送信駆動回路２０が接続され、相手側へ送信するための送信信号Ｓａが供給される。送信駆動回路２０では送信信号Ｓａを入力し、この送信信号Ｓａに基づいて発光素子２を駆動処理するようになされる。
【００７７】
この例では、発光素子２の他に、第２の受光素子の一例となるモニタ用の受光素子８が設けられ、発光素子２によって発光される信号光の一部を受光してモニタ信号（検出信号）Ｓｍを検出するようになされる。受光素子８にはアンプ２２が接続され、モニタ信号Ｓｍを増幅するようになされる。受光素子８は、発光素子２のパッケージ内に組み込まれ送信光の一部を直接受信するＡＰＣ用受光素子（図示していない）や、ビームスプリッタ９からの送信光の一部の反射光を受信することができるように配置された、外置きのＡＰＣ用の受光素子などを使うことができる。
【００７８】
また、図６に示す第１の受信回路３０では、第１の受光素子の一例となる受信用の受光素子３により受光された信号光を受信処理するようになされる。受信回路３０は例えば、プリアンプ部３１及び、波形整形２値化（２Ｒ）回路３２を有している。受光素子３によって受光された信号光は光電変換された後に、プリアンプ部３１に入力される。プリアンプ部３１では、相手側から受信した受信信号Ｓｉｎが増幅される。なお、アンプ２２とゲイン調整部４１は、第２の受信回路を構成するが、この例では、アンプ２２を送信駆動回路２０に含め、ゲイン調整部４１を近端光除去装置４００に実装する場合を示している。近端光除去装置４００には第１の実施形態と同様にして演算回路の一例となる演算装置４３が設けられる。
【００７９】
図６に示すプリアンプ部３１及び送信駆動回路２０のアンプ２２には近端光除去装置４００が接続され、ＡＰＣ用の受光素子８を通じて受光され、受信回路３０によって受信処理される受信信号Ｓｃと送信駆動回路２０でモニタされたモニタ信号Ｓｍ’とを演算するようになされる。
【００８０】
この例では、アンプ２２にはゲイン調整部４１が接続され、増幅後の受光素子８によるモニタ信号Ｓｍ’の利得を調整するようになされる。ゲイン調整部４１には時間差調整部４２が接続され、利得調整後のモニタ信号Ｓｍ’の時間差を調整するようになされる。時間差調整部４２には演算装置４３が接続され、時間差調整後の時間差調整出力信号（送信号光成分）Ｓｂと受信回路３０によって受信処理される受信信号Ｓｃとが演算される。この送信号光成分は、ビームスプリッタ９を通じて受光される送信信号Ｓａに基づく信号光成分である。この例で、演算装置４３は、受信回路３０によって受信処理される受信信号Ｓｃから、アンプ２２、ゲイン調整部４１及び時間差調整部４２によって受信処理された時間差調整出力信号Ｓｂを差し引く演算を実行する。
【００８１】
これにより、送信時の発光素子２の出力の一部の光が、ＡＰＣ用の受光素子８、アンプ２２を通して、光ファイバ４の端面で反射して受信用の受光素子３に入射してしまう近端反射光によりモニタ信号（検出信号）Ｓｍ’と、相手側から受光した受信信号Ｓｃとを直に近端光除去装置４００で処理できるため、両者の波形の類似度が高く、よって、より良く近端反射光を抑制できるようになる。
【００８２】
続いて、近端光除去装置４００におけるゲイン調整値の設定方法について説明をする。図７は近端光除去装置４００におけるゲイン調整値の設定例を示すフローチャートである。
【００８３】
上述した近端反射光の量は光送受信装置１００や２００等の構成によって決まり、光学系の設計状況によっても変化する。このような設計要因の他に、近端反射光量は、発光素子２の発光角度のばらつき、組み立て時の機械的な位置ずれなどの要因によって個別に変化する場合もある。これら設計要因と組み立て要因による近端反射光を含めた迷光成分は、各光送受信装置毎に一度、近端光除去装置４００のゲイン調整値を設定しておけば、近端反射光による影響を大幅に減ずることができる。この例では、工場出荷時に、図７に示すような手順でゲイン調整値を設定するようになされる。
【００８４】
これを設定条件にして、図７に示すフローチャートのステップＡ１で光送受信装置１００等を通電し、当該光送受信装置１００が使用される用途の送信速度に応じた「０，１」の繰り返しパターンの送信信号Ｓａを入力端子５から送信駆動回路２０へ供給する。そして、ステップＡ２で光ファイバ４をレセプタクル１に挿入し接続する。このとき、光ファイバ４の他端は暗くしておき、光が入らないようにする事が望ましい。その後、ステップＡ３で図示しないオシロスコープや、テスタなどのモニタで近端光除去装置４００から得られる近端光除去出力信号Ｓｄを観測する。このときには、完全に近端反射光が除去されていない限り、送信信号Ｓａの「０，１」パターンが目視観測される。
【００８５】
そして、ステップＡ４に移行し、近端光除去装置４００のゲイン調整部４１の可変抵抗器４１２を調整してゲイン調整値を設定する。その後、ステップＡ５に移行して、ゲイン調整値の設定の結果、送信信号Ｓａの「０，１」パターンがモニタで最少になったか否かを判断する。この際の判断はゲイン調整を行う作業者である。送信信号Ｓａの「０，１」パターンが最少になっていない場合は、再び、ステップＡ４に戻ってゲイン調整値の設定を継続する。そして、送信信号Ｓａの「０，１」パターンが最少になった場合には、ステップＡ６に移行してゲイン調整値を固定する。例えば、可変抵抗器４１２の回転を接着剤等で固定する。以上で、ゲイン調整値の設定処理を終了する。
【００８６】
上述した光送受信装置２００の動作例については、第１の実施形態と同様である。例えば、近端光除去装置４００のゲイン調整値が設定された後に、ビームスプリッタ９に対峙するレセプタクル１には光ファイバ４が結合される。送信駆動回路２０には送信信号Ｓａが入力され、この送信信号Ｓａに基づいて発光素子２を駆動処理するようになされる。発光素子２ではビームスプリッタ９、レセプタクル１及び光ファイバ４を通じて相手側へ信号光を発光するようになる。
【００８７】
また、相手側からの信号光が光ファイバ４、レセプタクル１及びビームスプリッタ９を通じて受光素子３により受光される。受信回路３０では、この受光素子３により受光された信号光が受信処理される。このとき、近端光除去装置４００では、この受信回路３０によって受信処理される受信信号Ｓｃと送信駆動回路２０から出力されるモニタ信号Ｓｍ’とが演算される。例えば、受信回路３０によって受信処理される受信信号Ｓｃから、ビームスプリッタ９を通じて受光される送信信号Ｓａに基づく信号光成分を差し引く演算処理が実行される。
【００８８】
このように、本発明に係る第２の実施形態としての光送受信装置２００によれば、光ファイバ４に結合して信号光を送受信する場合に、発光素子２がレセプタクル周辺でビームスプリッタ９を通じて受光素子３に近接することにより発生する近端反射光の影響を除去することができる。
【００８９】
従って、第１の実施形態と同様にして近端反射光を抑制することができ、また、送信信号Ｓａに基づく信号光が迷光となって、不本意に受光素子３に入射してしまう場合であっても、Ｓ／Ｎの良い再生信号を得ることができる。しかも、このＳ／Ｎが良くなることにより、伝送距離を従来方式より伸ばすことができる。また、ＳＤシグナルの近端反射光での誤動作を防ぐことができる。また、本発明によれば、近端光除去装置４００を使用することにより、波長多重用の光送受信装置２００において、色分離ミラーを使用せずに、安価なビームスプリッタ９を使用することができる。
【００９０】
なお、本発明に係る各実施形態で波形整形２値化回路３２からシグナルディテクト（Ｓｉｇｎａｌ  Ｄｅｔｅｃｔ；ＳＤ）信号を出力する構成が採られる場合がある。このＳＤ信号は、相手側の光送受信装置からの信号光を検出して、相手信号の有無を判別するために使用される。一芯全二重双方向通信システムでは、近端反射光により、相手信号が検出されない場合であっても、ＳＤ信号が「相手信号有り」を誤って示すことがあるが、本発明の光送受信方法を用いると、近端反射光の影響を抑制することができ、このようなＳＤ信号の誤検出を無くすことができる。
【００９１】
【発明の効果】
以上説明したように、本発明に係る第１の光送受信装置によれば、光ファイバに結合して信号光を送受信する場合に、受信処理される相手側からの信号光に基づく受信信号と送信駆動処理される送信信号とを演算する演算回路を備えるものである。
【００９２】
この構成によって、発光素子が結合器で受光素子に近接することにより発生する近端反射光の影響を除去することができる。従って、近端反射光を抑制することができ、Ｓ／Ｎの良い再生信号を得ることができる。しかも、このＳ／Ｎが良くなることにより、伝送距離を従来方式より伸ばすことができる。また、ＳＤシグナルの近端反射光での誤動作を防ぐことができる。
【００９３】
本発明に係る第２の光送受信装置によれば、光ファイバに結合して信号光を送受信する場合に、相手側より受光して受信処理した受信信号と発光素子からの光の一部を検出して受信処理した第２の受光素子に基づく検出信号とを演算する演算回路を備えるものである。
【００９４】
この構成によって、発光素子が結合器周辺で光学素子を通じて受光素子に近接することにより発生する近端反射光の影響を除去することができる。従って、近端反射光を抑制することができ、Ｓ／Ｎの良い再生信号を得ることができる。しかも、このＳ／Ｎが良くなることにより、伝送距離を従来方式より伸ばすことができる。また、ＳＤシグナルの近端反射光での誤動作を防ぐことができる。
【００９５】
本発明に係る光送受信方法によれば、光ファイバに結合して信号光を送受信する場合に、送信信号に基づく信号光を発光して相手側へ送信すると共に、相手側からの信号光を受光して受信し、ここで受信された信号光から送信信号によって発生される信号光成分を差し引く演算をするようになされる。
【００９６】
この構成によって、相手側へ送信する信号光が相手側から受信した信号光に混入することにより発生する近端反射光の影響を除去することができる。従って、近端反射光を抑制することができ、Ｓ／Ｎの良い再生信号を得ることができる。しかも、このＳ／Ｎが良くなることにより、伝送距離を従来方式より伸ばすことができる。また、ＳＤシグナルの近端反射光での誤動作を防ぐことができる。
【００９７】
この発明は１本の光ファイバを使用して信号光を同時に双方向に送受可能な一芯全二重光送受信を実行する通信システムに適用して極めて好適である。
【図面の簡単な説明】
【図１】本発明に係る第１の実施形態としての光送受信装置１００の構成例を示すブロック図である。
【図２】光送受信装置１００の内部構成例を示す回路図である。
【図３】その近端光除去装置４００の内部構成例を示す回路図である。
【図４】Ａは光送受信装置１００における動作例を説明する送信信号Ｓａ、Ｂは時間差調整出力信号Ｓｂ、Ｃはプリアンプ出力信号Ｓｃ、Ｄは近端光除去出力信号Ｓｄ、及び、Ｅは受光素子３から出力される受光信号Ｓｉｎの各々の波形例を示す図である。
【図５】Ａ及びＢは光送受信装置１０１の構成例を示す図である。
【図６】本発明に係る第２の実施形態としての光送受信装置２００の内部構成例を示す回路図である。
【図７】近端光除去装置４００におけるゲイン調整値の設定例を示すフローチャートである。
【図８】従来例に係る光送受信装置１０の構成例を示すブロック図である。
【図９】その送信駆動回路２０等の構成例を示すブロック図である。
【図１０】その受信回路３０等の構成例を示すブロック図である。
【符号の説明】
１・・・レセプタクル（結合器）、２・・・発光素子、３・・・受光素子（第１の受光素子）、４・・・光ファイバ、８・・・モニタ用の受光素子（第２の受光素子）、９・・・ビームスプリッタ（光学素子）、２０・・・送信駆動回路、２１・・・信号処理回路、２２・・・アンプ（第２の受信回路）、２３・・・ＤＣバイアス回路、２４・・・可変抵抗器、３０・・・受信回路（第１の受信回路）、３１・・・プリアンプ部、３２・・・波形整形２値化回路（２Ｒ回路）、４０・・・演算回路、４１・・・ゲイン調整部（第２の受信回路）、４２・・・時間差調整部、４３・・・演算装置（演算回路）、１００，１０１，２００・・・光送受信装置、４００・・・近端光除去装置
【図１】
2004343209.tif 000003
【図２】
2004343209.tif 000004
【図３】
2004343209.tif 000005
【図４】
2004343209.tif 000006
【図５】
2004343209.tif 000007
【図６】
2004343209.tif 000008
【図７】
2004343209.tif 000009
【図８】
2004343209.tif 000010
【図９】
2004343209.tif 000011
【図１０】
2004343209.tif 000012